(57)【要約】【課題】課題の一例として、携帯電話機等の携帯型情報記録再生装置およびそれらを含むシステムにおいて、ユーザがプレゼント等の情報提供者の提供サービスを受ける際に、毎回同一情報を入力させる必要がなく、情報提供者のサーバ装置においてもユーザが入力した個人情報を管理する必要のない情報記録再生装置、情報記録再生システム、情報記録再生方法、及び情報記録再生プログラムを提供することにある。【解決手段】デジタルコンテンツ情報、および前記デジタルコンテンツ情報に係る情報とを受信し、前記デジタルコンテンツ情報を再生する情報記録再生装置において、個人情報、プログラム情報および前記デジタルコンテンツ情報を送信する送信装置に関する送信装置情報が記録される記録手段と、前記プログラム情報又は前記デジタルコンテンツ情報に係る情報の少なくとも何れか一方の情報に基づいて、前記個人情報が入力される入力手段と、前記個人情報を外部へ送信する送信手段とを備える。【選択図】図３
2008305320.tif 000002
【特許請求の範囲】
【請求項１】
デジタルコンテンツ情報、および前記デジタルコンテンツ情報に係る情報とを受信し、前記デジタルコンテンツ情報を再生する情報記録再生装置において、
個人情報、プログラム情報および前記デジタルコンテンツ情報を送信する送信装置に関する送信装置情報が記録される記録手段と、
前記プログラム情報又は前記デジタルコンテンツ情報に係る情報の少なくとも何れか一方の情報に基づいて、前記個人情報が入力される入力手段と、
前記個人情報を外部へ送信する送信手段と、を備え、
前記送信手段は、前記個人情報を、前記送信装置情報に基づいて前記情報記録再生装置の外部へ送信することを特徴とする情報記録再生装置。
【請求項２】
デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置において、
個人情報、認証情報およびプログラム情報が記録される記録手段と、
前記プログラム情報又は前記デジタルコンテンツ情報に係る情報の少なくとも何れか一方の情報に基づいて、前記個人情報が入力される入力手段と、
前記記録手段に記録された前記認証情報を前記送信装置情報に基づいて送信し、前記認証情報に対応した送信先情報を受信し、前記送信先情報に基づいて前記個人情報を送信する送受信手段と、を備えることを特徴とする情報記録再生装置。
【請求項３】
請求項２に記載の情報記録再生装置において、
前記認証情報は、前記入力手段から入力されることを特徴とする情報記録再生装置。
【請求項４】
請求項１乃至３の何れか一項に記載の情報記録再生装置において、
前記プログラム情報は、前記入力手段によって入力されるべき前記個人情報に含まれる項目情報を含み、前記入力手段には、前記項目情報に基づいて前記個人情報が入力されることを特徴とする情報記録再生装置。
【請求項５】
請求項４に記載の情報記録再生装置において、
前記情報記録再生装置は、前記項目情報に基づいて、前記入力手段によって入力されるべき前記個人情報の項目情報を表示する表示手段を更に備えることを特徴とする情報記録再生装置。
【請求項６】
デジタルコンテンツ情報、前記デジタルコンテンツ情報に係る情報、および前記デジタルコンテンツ情報を送信する送信装置に関する送信装置情報を送信するコンテンツ提供装置と、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置を含む個人情報管理システムにおいて、
前記情報記録再生装置は、個人情報、認証情報およびプログラム情報が記録される記録手段と、
前記プログラム情報又は前記デジタルコンテンツ情報に係る情報の少なくとも何れか一方の情報に基づいて、前記個人情報が入力される入力手段と、
前記送信装置情報に基づいて前記認証情報を前記コンテンツ提供装置に送信する第１の送信手段と、
前記個人情報が送信されるべき送信先情報を受信する第１の受信手段と、を備え、
前記コンテンツ提供装置は、前記情報記録再生装置から送信された前記認証情報を受信する第２の受信手段と、
前記認証情報が正しいか否かを判断する判断手段と、
前記判断手段によって当該認証情報が正しいと判断された場合には、前記個人情報が送信されるべき前記送信先情報を前記情報記録再生装置に送信する第２の送信手段と、
を備えることを特徴とする個人情報管理システム。
【請求項７】
請求項６に記載の個人情報管理システムにおいて、
前記第１の送信手段は、一組の情報である情報記録再生装置識別情報とアンケート情報、および他の一組の情報である前記情報記録再生装置識別情報と前記個人情報を送信し、
前記第第２の受信手段は、一組の情報である前記情報記録再生装置識別情報と前記アンケート情報、および他の一組の情報である前記情報記録再生装置識別情報と前記個人情報を受信し、
前記コンテンツ提供装置は、前記一組の情報における前記情報記録再生装置識別情報と前記他の一組の情報における前記情報記録再生装置識別情報とが同じ場合には、前記一組の情報における前記アンケート情報と前記他の一組の情報における前記個人情報とを関連付けして記憶する記憶手段と、を備えることを特徴とする個人情報管理システム。
【請求項８】
請求項６又は７に記載の個人情報管理システムにおいて、
前記コンテンツ提供装置は、予め定められた期間が経過した後に前記個人情報を削除する削除手段を、更に有することを特徴とする個人情報管理システム。
【請求項９】
デジタルコンテンツ情報、および前記デジタルコンテンツ情報に係る情報とを受信し、前記デジタルコンテンツ情報を再生する情報記録再生装置の制御方法において、
個人情報、プログラム情報および前記デジタルコンテンツ情報を送信する送信装置に関する送信装置情報が記録される記録工程と、
前記プログラム情報又は前記デジタルコンテンツ情報に係る情報の少なくとも何れか一方の情報に基づいて、前記個人情報が入力される入力工程と、
前記個人情報を外部へ送信する送信工程と、を備え、
前記送信工程において、前記個人情報を、前記送信装置情報に基づいて前記情報記録再生装置の外部へ送信することを特徴とする情報記録再生装置。
【請求項１０】
デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置の制御方法において、
個人情報、認証情報およびプログラム情報が記録される記録工程と、
前記プログラム情報又は前記デジタルコンテンツ情報に係る情報の少なくとも何れか一方の情報に基づいて、前記個人情報が入力される入力工程と、
前記記録工程において、記録された前記認証情報を前記送信装置情報に基づいて送信し、前記認証情報に対応した送信先情報を受信し、前記送信先情報に基づいて前記個人情報を送信する送受信工程と、を備えることを特徴とする情報記録再生装置の制御方法。
【請求項１１】
デジタルコンテンツ情報、前記デジタルコンテンツ情報に係る情報、および前記デジタルコンテンツ情報を送信する送信装置に関する送信装置情報を送信するコンテンツ提供装置と、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置を含む個人情報管理システムの制御方法において、
前記情報記録再生装置は、個人情報、認証情報およびプログラム情報が記録される記録工程と、
前記プログラム情報又は前記デジタルコンテンツ情報に係る情報の少なくとも何れか一方の情報に基づいて、前記個人情報が入力される入力工程と、
前記送信装置情報に基づいて前記認証情報を前記コンテンツ提供装置に送信する第１の送信工程と、
前記個人情報が送信されるべき送信先情報を受信する第１の受信工程と、を備え、
前記コンテンツ提供装置は、前記情報記録再生装置から送信された前記認証情報を受信する第２の受信工程と、
前記認証情報が正しいか否かを判断する判断工程と、
前記判断工程において当該認証情報が正しいと判断された場合には、前記個人情報が送信されるべき前記送信先情報を前記情報記録再生装置に送信する第２の送信工程と、
を備えることを特徴とする個人情報管理システムの制御方法。
【請求項１２】
デジタルコンテンツ情報、および前記デジタルコンテンツ情報に係る情報とを受信し、前記デジタルコンテンツ情報を再生する情報記録再生装置に含まれるコンピュータを、
個人情報、プログラム情報および前記デジタルコンテンツ情報を送信する送信装置に関する送信装置情報が記録される記録手段、
前記プログラム情報又は前記デジタルコンテンツ情報に係る情報の少なくとも何れか一方の情報に基づいて、前記個人情報が入力される入力手段、
前記個人情報を外部へ送信する送信手段、として機能させ、
前記送信手段は、前記個人情報を、前記送信装置情報に基づいて前記情報記録再生装置の外部へ送信するように機能させることを特徴とする情報記録再生装置の制御プログラム。
【請求項１３】
デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置に含まれるコンピュータを、
個人情報、認証情報およびプログラム情報が記録される記録手段、
前記プログラム情報又は前記デジタルコンテンツ情報に係る情報の少なくとも何れか一方の情報に基づいて、前記個人情報が入力される入力手段、
前記記録手段に記録された前記認証情報を前記送信装置情報に基づいて送信し、前記認証情報に対応した送信先情報を受信し、前記送信先情報に基づいて前記個人情報を送信する送受信手段、として機能させることを特徴とする情報記録再生装置の制御プログラム。
【請求項１４】
デジタルコンテンツ情報、前記デジタルコンテンツ情報に係る情報、および前記デジタルコンテンツ情報を送信する送信装置に関する送信装置情報を送信するコンテンツ提供装置のコンピュータと、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置のコンピュータとを含む個人情報管理システムのプログラムにおいて、
前記情報記録再生装置に含まれるコンピュータを、個人情報、認証情報およびプログラム情報が記録される記録手段、
前記プログラム情報又は前記デジタルコンテンツ情報に係る情報の少なくとも何れか一方の情報に基づいて、前記個人情報が入力される入力手段、
前記送信装置情報に基づいて前記認証情報を前記コンテンツ提供装置に送信する第１の送信手段、
前記個人情報が送信されるべき送信先情報を受信する第１の受信手段、として機能させ、
前記コンテンツ提供装置に含まれるコンピュータを、前記情報記録再生装置から送信された前記認証情報を受信する第２の受信手段、
前記認証情報が正しいか否かを判断する判断手段、
前記判断手段によって当該認証情報が正しいと判断された場合には、前記個人情報が送信されるべき前記送信先情報を前記情報記録再生装置に送信する第２の送信手段、
として機能させることを特徴とする個人情報管理システムの制御プログラム。
【発明の詳細な説明】
【技術分野】
【０００１】
本発明は、個人情報の利用に関する情報記録再生装置等の技術分野に関する。
【背景技術】
【０００２】
近年、情報処理や情報通信などの技術の飛躍的な進歩とも相俟って、コンピュータ等の電子情報機器間を相互接続するネットワーク・コンピューティング技術に対する要望が高まってきている。ネットワーク上では、遠隔地のユーザどうしで、コンピュータ資源を共有し、情報の共有・流通・配布・交換などの協働的作業を円滑に行うことができる。
【０００３】
このような状況下において、情報の提供者が、独自のＷｅｂページを作成し、ユーザにパソコンや携帯端末装置からそのＷｅｂページに対してアクセスをさせてユーザにとって魅力ある種々の情報を提供している。また、近年ではユーザの携帯端末装置にアプリケーションソフトをダウンロードさせて、任意のアプリケーションソフトを実行できる技術および環境が整いつつある。
【０００４】
この場合には、ユーザに登録会員であるか否かを確認し、または、ユーザの利用履歴があるアプリケーションをユーザに提供するために、ユーザＩＤ及びパスワードをユーザに入力させて、情報の提供者のサーバにこれらの情報を記憶させるシステムがある。例えば、以下の特許文献１に記載されたものがある。
【０００５】
さらに、一部の情報提供者は集客率を向上させるために、アプリケーションソフトにユーザアンケート情報を組み込み、ユーザアンケートに回答したユーザにプレゼント等を送付する仕組みを構築している。
【特許文献１】特開２００５−１２８７１３号公報
【発明の開示】
【発明が解決しようとする課題】
【０００６】
しかし、インターネット等のネットワークを介してユーザの電子情報機器から送付されたユーザの個人情報（ユーザアンケート情報等）は、情報提供者のサーバに蓄積されていた。このために、情報提供者は個人情報を少なくとも予め定められた期間（例えばプレゼント抽選・発送時まで）は管理しなければならないリスクが要求されていた。
【０００７】
また、ユーザにとっても、同一情報提供者の異なるアプリケーション毎にユーザの個人情報を入力しなければならないという、煩わしさが発生する場合があった。
【０００８】
そこで、本発明は上記の問題点に鑑みて為されたもので、その目的の一例は、携帯電話機等の携帯型情報記録再生装置およびそれらを含むシステムにおいて、ユーザがプレゼント等の情報提供者の提供サービスを受ける際に、毎回同一情報を入力させる必要がなく、情報提供者のサーバ装置においてもユーザが入力した個人情報を管理する必要のない情報記録再生装置、情報記録再生システム、情報記録再生方法、及び情報記録再生プログラムを提供することにある。
【課題を解決するための手段】
【０００９】
上記課題を解決するために、請求項１に記載の発明は、デジタルコンテンツ情報、および前記デジタルコンテンツ情報に係る情報とを受信し、前記デジタルコンテンツ情報を再生する情報記録再生装置において、個人情報、プログラム情報および前記デジタルコンテンツ情報を送信する送信装置に関する送信装置情報が記録される記録手段と、前記プログラム情報又は前記デジタルコンテンツ情報に係る情報の少なくとも何れか一方の情報に基づいて、前記個人情報が入力される入力手段と、前記個人情報を外部へ送信する送信手段と、を備え、前記送信手段は、前記個人情報を、前記送信装置情報に基づいて前記情報記録再生装置の外部へ送信することを特徴とする。
【００１０】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００１１】
また、ユーザは通信回線を介したプレゼント応募時に毎回個人情報を入力する手間がなくなった。
【００１２】
また、ユーザの個人情報は、予め定められた送信先にしか送られないように携帯電話機等のアプリケーションプログラムの機能によって制限が設けられているので、個人情報が第三者に入手されてしまうなどの個人情報の流出（漏洩）を効果的に防ぐことが可能となった。
【００１３】
上記課題を解決するために、請求項２に記載の発明は、デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置において、個人情報、認証情報およびプログラム情報が記録される記録手段と、前記プログラム情報又は前記デジタルコンテンツ情報に係る情報の少なくとも何れか一方の情報に基づいて、前記個人情報が入力される入力手段と、前記記録手段に記録された前記認証情報を前記送信装置情報に基づいて送信し、前記認証情報に対応した送信先情報を受信し、前記送信先情報に基づいて前記個人情報を送信する送受信手段と、を備えることを特徴とする。
【００１４】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００１５】
また、ユーザは通信回線を介したプレゼント応募時に毎回個人情報を入力する手間がなくなった。
【００１６】
また、ユーザの個人情報は、個人情報を携帯電話機等の携帯型情報記録再生装置から送信する前に、パスワード認証が行なわれ、パスワード認証後に送信された送信先にユーザの個人情報に送信することができる。
【００１７】
従って、セキュリティが確認された送付先に個人情報が送付されるので、個人情報が第三者に入手されてしまうなどの個人情報の流出（漏洩）を効果的に防ぐことが可能となった。
【００１８】
上記課題を解決するために、請求項３に記載の発明は、請求項２に記載の情報記録再生装置において、前記認証情報は、前記入力手段から入力されることを特徴とする。
【００１９】
この発明によれば、ユーザ自信によってパスワードが入力されるので、パスワード認証が確実に行なわれる。従って、個人情報の流出（漏洩）を的確に防ぐことが可能となった。
【００２０】
上記課題を解決するために、請求項４に記載の発明は、請求項1乃至３の何れか一項に記載の情報記録再生装置において、前記プログラム情報は、前記入力手段によって入力されるべき前記個人情報に含まれる項目情報を含み、前記入力手段には、前記項目情報に基づいて前記個人情報が入力されることを特徴とする。
【００２１】
この発明によれば、個人情報が細分化して入力されるので、コンテンツ提供者が本当に必要としている個人情報が的確に携帯電話機等の携帯型情報記録再生装置に記憶され、コンテンツ提供者に必要な個人情報が送信されるようになった。
【００２２】
上記課題を解決するために、請求項５に記載の発明は、請求項４に記載の情報記録再生装置において、前記情報記録再生装置は、前記項目情報に基づいて、前記入力手段によって入力されるべき前記個人情報の項目情報を表示する表示手段を更に備えることを特徴とする。
【００２３】
この発明によれば、ユーザは個人情報を入力する場合に、携帯電話機等の携帯型情報記録再生装置の表示部に表示された案内に従って入力するだけで、必要とされる個人情報が入力できるので、簡単かつ的確に必要とされる個人情報を入力し、送信することができるようになった。
【００２４】
上記課題を解決するために、請求項６に記載の発明は、デジタルコンテンツ情報、前記デジタルコンテンツ情報に係る情報、および前記デジタルコンテンツ情報を送信する送信装置に関する送信装置情報を送信するコンテンツ提供装置と、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置を含む個人情報管理システムにおいて、前記情報記録再生装置は、個人情報、認証情報およびプログラム情報が記録される記録手段と、前記プログラム情報又は前記デジタルコンテンツ情報に係る情報の少なくとも何れか一方の情報に基づいて、前記個人情報が入力される入力手段と、前記送信装置情報に基づいて前記認証情報を前記コンテンツ提供装置に送信する第１の送信手段と、前記個人情報が送信されるべき送信先情報を受信する第１の受信手段と、を備え、前記コンテンツ提供装置は、前記情報記録再生装置から送信された前記認証情報を受信する第２の受信手段と、前記認証情報が正しいか否かを判断する判断手段と、前記判断手段によって当該認証情報が正しいと判断された場合には、前記個人情報が送信されるべき前記送信先情報を前記情報記録再生装置に送信する第２の送信手段と、を備えることを特徴とする。
【００２５】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００２６】
また、ユーザは通信回線を介したプレゼント応募時に毎回個人情報を入力する手間がなくなった。
【００２７】
また、ユーザの個人情報は、個人情報を携帯電話機等の携帯型情報記録再生装置から送信する前に、パスワード認証が行なわれ、パスワード認証後に送信された送信先のユーザだけに個人情報を送信することができる。
【００２８】
従って、セキュリティが確認された送付先に個人情報が送付されるので、個人情報が第三者に入手されてしまうなどの個人情報の流出（漏洩）を効果的に防ぐことが可能となった。
【００２９】
また、サーバ装置等を管理する管理者にとっても、個人情報を長期間保持する必要がなくなったので、ＵＩＤ（User Identifier）情報の引継ぎによる個人情報漏洩の危険性が減少し、個人情報の管理が容易になった。
【００３０】
さらに、コンテンツ提供者は、パスワード認証されたユーザからの的確かつ確実なユーザの個人情報を入手できることになった。
【００３１】
上記課題を解決するために、請求項７に記載の発明は、請求項６に記載の個人情報管理システムにおいて、前記第１の送信手段は、一組の情報である情報記録再生装置識別情報とアンケート情報、および他の一組の情報である前記情報記録再生装置識別情報と前記個人情報を送信し、前記第第２の受信手段は、一組の情報である前記情報記録再生装置識別情報と前記アンケート情報、および他の一組の情報である前記情報記録再生装置識別情報と前記個人情報を受信し、前記コンテンツ提供装置は、前記一組の情報における前記情報記録再生装置識別情報と前記他の一組の情報における前記情報記録再生装置識別情報とが同じ場合には、前記一組の情報における前記アンケート情報と前記他の一組の情報における前記個人情報とを関連付けして記憶する記憶手段と、を備えることを特徴とする。
【００３２】
この発明によれば、一組の情報である情報記録再生装置識別情報とアンケート情報とを一次的に保存しておくことで、後に受信したユーザの個人情報を的確に把握し、判断することが可能となった。
【００３３】
上記課題を解決するために、請求項８に記載の発明は、請求項６又は７に記載の個人情報管理システムにおいて、前記コンテンツ提供装置は、予め定められた期間が経過した後に前記個人情報を削除する削除手段を、更に有することを特徴とする。
【００３４】
この発明によれば、セキュリティが確認された送付先に個人情報が送付されるので、個人情報が第三者に入手されてしまうなどの個人情報の流出（漏洩）を効果的に防ぐことが可能となった。
【００３５】
また、サーバ装置等を管理する管理者にとっても、個人情報を長期間保持する必要がなくなったので、ＵＩＤの引継ぎによる個人情報漏洩の危険性が減少し、個人情報の管理が容易になった。
【００３６】
上記課題を解決するために、請求項９に記載の発明は、デジタルコンテンツ情報、および前記デジタルコンテンツ情報に係る情報とを受信し、前記デジタルコンテンツ情報を再生する情報記録再生装置の制御方法において、個人情報、プログラム情報および前記デジタルコンテンツ情報を送信する送信装置に関する送信装置情報が記録される記録工程と、前記プログラム情報又は前記デジタルコンテンツ情報に係る情報の少なくとも何れか一方の情報に基づいて、前記個人情報が入力される入力工程と、前記個人情報を外部へ送信する送信工程と、を備え、前記送信工程において、前記個人情報を、前記送信装置情報に基づいて前記情報記録再生装置の外部へ送信することを特徴とする。
【００３７】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００３８】
また、ユーザは通信回線を介したプレゼント応募時に毎回個人情報を入力する手間がなくなった。
【００３９】
また、ユーザの個人情報は、予め定められた送信先にしか送られないように携帯電話機等のアプリケーションプログラムの機能によって制限が設けられているので、個人情報が第三者に入手されてしまうなどの個人情報の流出（漏洩）を効果的に防ぐことが可能となった。
【００４０】
上記課題を解決するために、請求項１０に記載の発明は、デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置の制御方法において、個人情報、認証情報およびプログラム情報が記録される記録工程と、前記プログラム情報又は前記デジタルコンテンツ情報に係る情報の少なくとも何れか一方の情報に基づいて、前記個人情報が入力される入力工程と、前記記録工程において、記録された前記認証情報を前記送信装置情報に基づいて送信し、前記認証情報に対応した送信先情報を受信し、前記送信先情報に基づいて前記個人情報を送信する送受信工程と、を備えることを特徴とする。
【００４１】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００４２】
また、ユーザは通信回線を介したプレゼント応募時に毎回個人情報を入力する手間がなくなった。
【００４３】
また、ユーザの個人情報は、個人情報を携帯電話機等の携帯型情報記録再生装置から送信する前に、パスワード認証が行なわれ、パスワード認証後に送信された送信先のユーザにだけに個人情報を送信することができる。
【００４４】
従って、セキュリティが確認された送付先に個人情報が送付されるので、個人情報が第三者に入手されてしまうなどの個人情報の流出（漏洩）を効果的に防ぐことが可能となった。
【００４５】
上記課題を解決するために、請求項１１に記載の発明は、デジタルコンテンツ情報、前記デジタルコンテンツ情報に係る情報、および前記デジタルコンテンツ情報を送信する送信装置に関する送信装置情報を送信するコンテンツ提供装置と、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置を含む個人情報管理システムの制御方法において、前記情報記録再生装置は、個人情報、認証情報およびプログラム情報が記録される記録工程と、前記プログラム情報又は前記デジタルコンテンツ情報に係る情報の少なくとも何れか一方の情報に基づいて、前記個人情報が入力される入力工程と、前記送信装置情報に基づいて前記認証情報を前記コンテンツ提供装置に送信する第１の送信工程と、前記個人情報が送信されるべき送信先情報を受信する第１の受信工程と、を備え、前記コンテンツ提供装置は、前記情報記録再生装置から送信された前記認証情報を受信する第２の受信工程と、前記認証情報が正しいか否かを判断する判断工程と、前記判断工程において当該認証情報が正しいと判断された場合には、前記個人情報が送信されるべき前記送信先情報を前記情報記録再生装置に送信する第２の送信工程と、を備えることを特徴とする。
【００４６】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００４７】
また、ユーザは通信回線を介したプレゼント応募時に毎回個人情報を入力する手間がなくなった。
【００４８】
また、ユーザの個人情報は、個人情報を携帯電話機等の携帯型情報記録再生装置から送信する前に、パスワード認証が行なわれ、パスワード認証後に送信された送信先のユーザだけに個人情報を送信することができる。
【００４９】
従って、セキュリティが確認された送付先に個人情報が送付されるので、個人情報が第三者に入手されてしまうなどの個人情報の流出（漏洩）を効果的に防ぐことが可能となった。
【００５０】
また、サーバ装置等を管理する管理者にとっても、個人情報を長期間保持する必要がなくなったので、ＵＩＤの引継ぎによる個人情報漏洩の危険性が減少し、個人情報の管理が容易になった。
【００５１】
さらに、コンテンツ提供者は、パスワード認証されたユーザからの的確かつ確実なユーザの個人情報を入手できることになった。
【００５２】
上記課題を解決するために、請求項１２に記載の発明は、デジタルコンテンツ情報、および前記デジタルコンテンツ情報に係る情報とを受信し、前記デジタルコンテンツ情報を再生する情報記録再生装置に含まれるコンピュータを、個人情報、プログラム情報および前記デジタルコンテンツ情報を送信する送信装置に関する送信装置情報が記録される記録手段、前記プログラム情報又は前記デジタルコンテンツ情報に係る情報の少なくとも何れか一方の情報に基づいて、前記個人情報が入力される入力手段、前記個人情報を外部へ送信する送信手段、として機能させ、前記送信手段は、前記個人情報を、前記送信装置情報に基づいて前記情報記録再生装置の外部へ送信するように機能させることを特徴とする。
【００５３】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００５４】
また、ユーザは通信回線を介したプレゼント応募時に毎回個人情報を入力する手間がなくなった。
【００５５】
また、ユーザの個人情報は、予め定められた送信先にしか送られないように携帯電話機等のアプリケーションプログラムの機能によって制限が設けられているので、個人情報が第三者に入手されてしまうなどの個人情報の流出（漏洩）を効果的に防ぐことが可能となった。
【００５６】
上記課題を解決するために、請求項１３に記載の発明は、デジタルコンテンツ情報、前記デジタルコンテンツ情報に係る情報、および前記デジタルコンテンツ情報を送信する送信装置に関する送信装置情報とを受信し、前記デジタルコンテンツ情報を再生する情報記録再生装置に含まれるコンピュータを、個人情報、認証情報およびプログラム情報が記録される記録手段、前記プログラム情報又は前記デジタルコンテンツ情報に係る情報の少なくとも何れか一方の情報に基づいて、前記個人情報が入力される入力手段、前記記録手段に記録された前記認証情報を前記送信装置情報に基づいて送信し、前記認証情報に対応した送信先情報を受信し、前記送信先情報に基づいて前記個人情報を送信する送受信手段、として機能させることを特徴とする。
【００５７】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００５８】
また、ユーザは通信回線を介したプレゼント応募時に毎回個人情報を入力する手間がなくなった。
【００５９】
また、ユーザの個人情報は、個人情報を携帯電話機等の携帯型情報記録再生装置から送信する前に、パスワード認証が行なわれ、パスワード認証後に送信された送信先のユーザだけに個人情報を送信することができる。
【００６０】
従って、セキュリティが確認された送付先に個人情報が送付されるので、個人情報が第三者に入手されてしまうなどの個人情報の流出（漏洩）を効果的に防ぐことが可能となった。
【００６１】
上記課題を解決するために、請求項１４に記載の発明は、デジタルコンテンツ情報、前記デジタルコンテンツ情報に係る情報、および前記デジタルコンテンツ情報を送信する送信装置に関する送信装置情報を送信するコンテンツ提供装置のコンピュータと、前記デジタルコンテンツ情報、前記デジタルコンテンツ情報に係る情報、および前記デジタルコンテンツ情報を送信する送信装置に関する送信装置情報を受信し、前記デジタルコンテンツ情報を再生する情報記録再生装置のコンピュータとを含む個人情報管理システムのプログラムにおいて、前記情報記録再生装置に含まれるコンピュータを、個人情報、認証情報およびプログラム情報が記録される記録手段、前記プログラム情報又は前記デジタルコンテンツ情報に係る情報の少なくとも何れか一方の情報に基づいて、前記個人情報が入力される入力手段、前記送信装置情報に基づいて前記認証情報を前記コンテンツ提供装置に送信する第１の送信手段、前記個人情報が送信されるべき送信先情報を受信する第１の受信手段、として機能させ、前記コンテンツ提供装置に含まれるコンピュータを、前記情報記録再生装置から送信された前記認証情報を受信する第２の受信手段、前記認証情報が正しいか否かを判断する判断手段、前記判断手段によって当該認証情報が正しいと判断された場合には、前記個人情報が送信されるべき前記送信先情報を前記情報記録再生装置に送信する第２の送信手段、として機能させることを特徴とする。
【００６２】
この発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。
【００６３】
また、ユーザは通信回線を介したプレゼント応募時に毎回個人情報を入力する手間がなくなった。
【００６４】
また、ユーザの個人情報は、個人情報を携帯電話機等の携帯型情報記録再生装置から送信する前に、パスワード認証が行なわれ、パスワード認証後に送信された送信先のユーザだけに個人情報を送信することができる。
【００６５】
従って、セキュリティが確認された送付先に個人情報が送付されるので、個人情報が第三者に入手されてしまうなどの個人情報の流出（漏洩）を効果的に防ぐことが可能となった。
【００６６】
また、サーバ装置等を管理する管理者にとっても、個人情報を長期間保持する必要がなくなったので、ＵＩＤの引継ぎによる個人情報漏洩の危険性が減少し、個人情報の管理が容易になった。
【００６７】
さらに、コンテンツ提供者は、パスワード認証されたユーザからの的確かつ確実なユーザの個人情報を入手できることになった。
【発明の効果】
【００６８】
本発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。その結果、ユーザは通信回線を介したプレゼント応募時に毎回個人情報を入力する手間がなくなった。また、携帯電話機等の携帯型情報記録再生装置が通信を行う通信回線接続先の第三者のサーバ装置等に、ユーザの個人情報を長期間保存する必要がなくなったので、ユーザにとって個人情報の安全性が高まった。また、サーバ装置等を管理する管理者にとっても、個人情報を長期間保持する必要がなくなったので、ＵＩＤの引継ぎによる個人情報漏洩の危険性が減少し、個人情報の管理が容易になった。
【発明を実施するための最良の形態】
【００６９】
以下、本発明の最良の実施形態を図面に基づいて説明する。なお、以下に説明する実施の形態は、情報記録再生装置として携帯電話機を使用した場合に対して本発明を適用した場合の実施形態である。また、コンテンツ提供装置としてコンテンツプロバイダサーバ装置を使用した場合に対して本発明を適用した場合の実施形態である。しかし、本発明の情報処理装置およびコンテンツ提供装置は、有線または無線による電子通信回線を通じて情報をダウンロードできる全ての電子情報機器に対して適用することが可能である。
【００７０】
［１．システム構成の一例］
図１は、本発明のシステム構成の構成例（一実施形態）を示すブロック図である。図１のブロック図では、情報記録再生装置として携帯電話装置１（携帯電話機を含む）を使用した場合を示す。
【００７１】
システムは、携帯電話機１（入力手段、記録手段、送信手段、送受信手段、第１の送信手段、第１の受信手段およびを含む）、携帯電話機１を相互に接続するためのパケット通信網２、パケット通信網２における携帯電話機１と、外部の第三者のサーバ装置との接続を制御するためのサーバ装置３、サーバ装置３と専用線を介して接続された専用線接続ポータルコンテンツプロバイダサーバ装置４（コンテンツ提供装置、第２の送信手段、第２の受信手段、判断手段、記憶手段、および削除手段を含む）、サーバ装置３と外部の第三者のサーバ装置との接続をするためのインターネット５、インターネット５に接続されサーバ装置３を介して携帯電話機１と接続するインターネット接続ポータルコンテンツプロバイダサーバ装置６（コンテンツ提供装置、第２の送信手段、第２の受信手段、判断手段、記憶手段、および削除手段を含む）、およびインターネット５に接続されサーバ装置３を介して携帯電話機１と接続するボランタリコンテンツプロバイダサーバ装置７（コンテンツ提供装置、第２の送信手段、第２の受信手段、判断手段、記憶手段、および削除手段を含む）とを含む構成となっている。
【００７２】
専用線接続ポータルコンテンツプロバイダサーバ装置４はサーバ装置３およびパケット通信網２を介して、携帯電話機１へデジタルコンテンツ（楽曲情報、静止画情報、および動画情報等）を供給する。インターネット接続ポータルコンテンツプロバイダサーバ装置６、およびボランタリコンテンツプロバイダサーバ装置７は、ネットワーク５およびサーバ装置３を介して携帯電話機１へデジタルコンテンツを供給する。ユーザは、有料または無料にて、携帯電話機１の入力部を操作することにより、デジタルコンテンツを、パケット通信網２およびサーバ装置３を介して専用線接続ポータルコンテンツプロバイダサーバ装置４からダウンロードする。また、ユーザは、有料または無料にて、携帯電話機１の入力部を操作することにより、デジタルコンテンツを、パケット通信網２、サーバ装置３、インターネット５を介して、インターネット接続ポータルコンテンツプロバイダサーバ装置６、またはボランタリコンテンツプロバイダサーバ装置７からダウンロードする。（以下、専用線接続ポータルコンテンツプロバイダサーバ装置４を専用線プロバイダサーバ装置と称する。また、専用線インターネット接続ポータルコンテンツプロバイダサーバ装置６、およびボランタリコンテンツプロバイダサーバ装置７をインターネットプロバイダサーバ装置と称する。）また、デジタルコンテンツに係る情報、および動作の詳細は後述する。
【００７３】
また、携帯電話機１は携帯電話機１の記憶部に記憶された個人情報入力用のアプリケーションソフトを起動し、個人情報をアンケート情報の入力フォーマット（予め携帯電話機１の記憶部に複数の入力フォーマット記憶されている場合と、専用線プロバイダサーバ装置又はインターネットプロバイダサーバ装置から送信される場合とがある。）に従って入力し、携帯電話機１の記憶部に記憶するとともに、必要に応じて、予め定められた方法により、専用線プロバイダサーバ装置又はインターネットプロバイダサーバ装置に送信する。詳細は後述する。
【００７４】
専用線プロバイダサーバ装置又はインターネットプロバイダサーバ装置は、サーバ装置３およびパケット通信網２を介して、携帯電話機１と情報の送受信を行う。専用線プロバイダサーバ装置又はインターネットプロバイダサーバ装置の情報提供者は、ユーザの個人情報を取得するために、アンケート情報をコンテンツ情報と共に、またはアンケート情報だけをユーザの携帯電話機１に送信する。
【００７５】
ユーザの携帯電話機１に記憶されたユーザのアプリケーションソフトから専用線プロバイダサーバ装置又はインターネットプロバイダサーバ装置に送信されたユーザの個人情報は、専用線プロバイダサーバ装置又はインターネットプロバイダサーバ装置の記憶装置に、所定期間保存される。所定期間とは、アンケートの実施期間等の比較的短い期間である。アンケート実施期間の終了時には、アンケートに対して個人情報を提供し、アンケートに応募したユーザから当選者が選定される。当選者は、インターネット５上のホームページに掲載され、又は、コンテンツ提供者から当選連絡、若しくは当選商品等がパケット通信網２を介して送信され、又は、コンテンツ提供者から当選連絡、若しくは当選商品等が郵送等により通知される。この後に、コンテンツ提供者がユーザの個人情報を専用線プロバイダサーバ装置又はインターネットプロバイダサーバ装置に記憶し、保管することは、個人情報の保護に係る法律に関するリスクが増大するので、コンテンツ提供者はユーザの個人情報を専用線プロバイダサーバ装置又はインターネットプロバイダサーバ装置から削除する。
【００７６】
このように、ユーザの個人情報は、携帯電話機１のユーザアプリケーションによって管理されているので、コンテンツ提供者は専用線プロバイダサーバ装置又はインターネットプロバイダサーバ装置から、ユーザの承認に基づいて（プレゼントの応募等の場合に）容易にユーザの携帯電話機１から、ユーザアプリケーションを介して個人情報を取得することができる。
【００７７】
また、ユーザにとっても、ユーザ自信の個人情報はユーザアプリケーションによって携帯電話機１に記憶されているので、異なるプレゼントの応募等の場合に、同じ個人情報を繰り返して入力する手間が省ける。
【００７８】
［２．情報記録再生装置の一例］
図２は、情報記録再生装置としての携帯電話機１の内部構成を示すブロック図である。図２のブロック図では、携帯電話機１は各種制御を行う制御部１２（送信手段、送受信手段、第１の送信手段、第１の受信手段、および送受信手段に関する制御機能を含む。）に携帯電話機１の様々な機能に係る処理を行う各部１３、１４・・・を内部バス２３で接続した構成を示している。内部バス２３に接続されているものには、送信手段、送受信手段、第１の送信手段、第１の受信手段、および送受信手段を含む通信部１３、表示処理部１４、位置検出部１５、撮像処理部１６、非接触ＩＣ１７、音入力部１８、音出力部１９、振動発生部２０、記録手段を含む記憶部２１、入力手段を含む操作部１０、及び電源制御部２２が含まれる。以下、上述した各部について説明する。
【００７９】
制御部１２は、携帯電話機が具備する機能を作動させる場合に各部１３、１４・・・の制御を行い、携帯電話機の通話機能、通信機能、及び表示機能等に対する制御処理を行うものである。制御部１２が行う処理内容は記憶部２１に記憶された制御プログラム情報３２に規定されており、制御部１２は制御プログラム情報３２に基づき所定の処理を行う。また、制御部１２は、クロック部１２ａを内蔵しており、日時を認識する（時間を計る）。なお、制御部１２が行う処理の詳細は後述する。
【００８０】
通信部１３は、アンテナ２５と接続されておりアンテナ２５を介してデジタルコンテンツ（コンテンツ情報）、アンケート情報、個人情報、ＵＲＬ（Uniform Resource Location）情報、ＵＩＤ（User Identifier）情報、及びその他の通信情報の送受信を行う。表示処理部１４は、モニタ部２４と接続されており、モニタ部２４で表示する内容を調整する処理を行う。
【００８１】
位置検出部１５は、ＧＰＳ（Global Positioning System）を利用して図示しない人工衛星より携帯電話機の位置検出を行い、検出した位置を制御部１２へ伝送する。撮像処理部１６は、ＣＣＤ２８と接続されておりＣＣＤ２８が撮像した内容（画像）に対する処理を行う。
【００８２】
非接触ＩＣ１７は、入出金や決済等にかかる貨幣価値を示す電子マネーデータ等の情報を書き換え可能なメモリ（図示せず）を有し、これらの情報を制御部１２へ内部バス２３を介して転送する機能を備えている。そして、この非接触ＩＣ１７は、携帯電話機からの特定の電子マネーの電子決済処理要求を受付及び実行することができる電子マネーチャージ機等の電子決済装置との間で、メモリに記憶された電子マネーデータを電磁波等の無線によって離れたまま送受信できるようになされている。
【００８３】
音入力部１８は、マイク２６と接続されておりマイク６で集音した音声等の音情報を通信部１３へ送る処理を行う。例えば、ユーザは個人情報をユーザの音声にて音入力部１８を介して入力し、制御部１２において入力部１８を介して入力されたユーザの音声情報を音声認識した後に、制御部１２は音声情報をテキスト情報に変換し、変換されたテキスト情報を記憶部２１に記憶することも可能である。
【００８４】
音出力部１９は、スピーカ２７と接続されており、制御部１２の制御に基づき、アンテナ２５および通信部１３を介して、記憶部に記憶されたデジタルコンテンツをスピーカ２７から出力する。また、音入力部１８に入力される音声情報としての個人情報の入力を促すためのメッセージ情報を出力することもできる。
【００８５】
また、音出力部１９にはイヤホン等の延長コード付きのスピーカを接続することもできる。なお、出力部１９は操作部１０から入力される指示に基づいてスピーカ２７から出力する音量を制御することが可能である。振動発生部２０はマナーモードの場合、制御部１２の制御に基づき着信に対して振動を発生するものである。
【００８６】
また、操作部１０は内部バス２３に接続されることで、ユーザから受け付けた操作指示の内容を内部バス２３で制御部１２へ伝送している。例えば、所定の書式に従った個人情報は操作部１０を介して入力され、記憶部２１に記憶される。
【００８７】
さらに、電源制御部２２は、バッテリ１１と接続されており、バッテリ１１に蓄えられた電力の供給及び供給遮断を制御する。なお、図２中には示していないが、電源制御部２２から上述した各部１２、１３等へ繋がる給電線が存在しており、この給電線を通じてバッテリ１１の電力が各部１２、１３等へ供給される。また、電源制御部２２は、制御部１２の制御に基づき電力の供給を遮断して電源入りの状態から電源切りの状態へ切り替える処理を行う。
【００８８】
記憶部２１は、様々な情報及びプログラムを記憶する記憶媒体である。記憶部２１が記憶する内容には、アンテナ２５および通信部１３を介して受信されるアプリケーションプログラム情報３０ａ〜３０ｎ（ｎは任意のアルファベットであって、ａ〜ｎは異なるデジタルコンテンツを区分するために用いられる。また、アプリケーションプログラム情報は予め記憶部２１に記憶されていてもよい。）、デジタルコンテンツ（一例として楽曲情報、各デジタルコンテンツには一つのデジタルコンテンツ（楽曲情報の場合には一つの楽曲）が記憶されている。図示せず。）、操作部１０または音入力部１８を介して入力された個人情報３１、制御部１２を制御するネイティブアプリケーション（オペレーティングシステムを含む）である制御プログラム情報３２、モニタ部２４に表示される待ち受け画像情報３３ａ〜３３ｎ（ｎは任意のアルファベットであって、ａ〜ｎは異なる待ち受け画像情報を区分するために用いられる。各待ち受け画像情報には一つの待ち受け画像が記憶されている。）、個人情報３１が操作部１０を介して入力されるための、個人情報３１の入力を促すモニタ部２４に表示されるメニュー情報３３ａ〜３３ｎ（ｎは任意のアルファベットであって、ａ〜ｎは異なるメニュー情報を区分するために用いられる。各メニュー情報には一つのメニュー画面が記憶されている。メニュー画面は入力されるべき個人情報３１の種類によって異なっている。詳細は後述する）およびユーザ識別情報（ＵＩＤ（User Identifier）、図示せず）が記憶されている。
【００８９】
［３．処理動作を示すフローチャート］
次に、図３乃至図５を用いて、携帯電話機１とコンテンツ提供者の専用線プロバイダサーバ装置又はインターネットプロバイダサーバ装置との間で行なわれる個人情報の送受信の動作概要を説明する。
【００９０】
まず、図３を用いて実施形態についての処理動作をステップ毎に説明する。
【００９１】
ステップＳ１において、ユーザは、会員制となっているコンテンツ提供者のサーバ装置（４、６、又は７）のサイトに携帯電話機１からアクセスする。サイトはＵＲＬによって特定されるので、携帯電話機１の通信部１３からＵＲＬが送信される。
【００９２】
ステップＳ２において、コンテンツ提供者の専用線プロバイダサーバ装置（４）又はインターネットプロバイダサーバ装置ユーザ（６又は７）は、ステップＳ１においてユーザが使用した携帯電話機１の機種を判別する。
【００９３】
ユーザが使用している携帯電話機１の機種判別は、携帯電話機１のアプリケーションプログラム又は制御プログラムが実行するＨＴＴＰ（Hyper Text Transfer Protocol）によるＵＲＬを送信する場合のリクエストヘッダに含まれるユーザーエージェントに記載されている情報に基づいて、コンテンツ提供者のサーバ装置（４、６、又は７）が判別する。
【００９４】
コンテンツ提供者のサーバ装置（４、６、又は７）は、ステップ２において判別した携帯電話機１の機種に応じた情報を以下のステップで送信する。携帯電話機１の機種に対応していない情報を携帯電話機１が受信した場合には、携帯電話機１が正常な動作をしない場合があるからである。
【００９５】
次にステップＳ３において、ステップＳ１において携帯電話機１から送信されたＵＲＬと共に送信されたＵＩＤ情報が、携帯電話機１が送信したＵＲＬを開くことができる会員としてのＵＩＤ情報か否かをコンテンツ提供者のサーバ装置（４、６、又は７）が判断する。
【００９６】
ステップＳ４において、携帯電話機１から送信されたＵＩＤ情報が会員として登録されていない場合（ステップＳ４：ＮＯ）にはステップＳ５に進み、携帯電話機１から送信されたＵＩＤ情報が会員として登録されている場合（ステップＳ４：ＹＥＳ）にはステップＳ６に進む。
【００９７】
ステップＳ５において、コンテンツ提供者のサーバ装置（４、６、又は７）は、携帯電話機１へエラー情報を送信する。エラー情報を受信した携帯電話機１はモニタ部２４にエラー情報を表示し、ユーザにステップＳ１において送信したＵＲＬはアクセスすることができないＵＲＬであることを知らせる。
【００９８】
ステップＳ６において、コンテンツ提供者のサーバ装置（４、６、又は７）はアンケートｈｔｍｌ（Hyper Text Markup Language）タグ情報（デジタルコンテンツに係る情報に含まれる情報である。）をサーバ装置に備えられたＤＢ（Data Base）から読み出し、携帯電話機１へ送信する。アンケートｈｔｍｌ（Hyper Text Markup Language）タグ情報に含まれる情報には、一例として図５（Ａ）に示されるＩＮＰＵＴタグを含む情報がある。図５（Ａ）には、サイト“Ｐｏｋｅｍｅｒｏ．ｐｏｋｅ．ｊｐ”に“毎日アクセス”するか、“ときどきアクセス”するかを携帯電話機１のユーザに選択させるためのｈｔｍｌタグ情報がモニタ部２４に表示された状態が示されている。
【００９９】
ステップＳ７において、携帯電話機１は、コンテンツ提供者のサーバ装置（４、６、又は７）から送信されたアンケートｈｔｍｌ（Hyper Text Markup Language）タグ情報を受信する。
【０１００】
図５（Ａ）に示されるｈｔｍｌタグ情報が、携帯電話機１に送信されると、携帯電話機１のモニタ部２４には、図４（Ａ）に示される画面例が表示される。図４（Ａ）の画面例をユーザが見て、“毎日アクセス”または、“ときどきアクセス”に操作部１０を用いてチェックを入れ、“ｓｕｂｍｉｔ”部分を選択すると、携帯電話機１のアプリケーションプログラムは、“Ｐｏｋｅｍｅｒｏ．ｐｏｋｅ．ｊｐ”に“毎日アクセス”するか、“ときどきアクセス”するようになる。
【０１０１】
ステップＳ８において、ユーザは携帯電話機１のアプリケーションプログラムに従って、操作部１０を介して個人情報を入力する。入力された個人情報３１は記憶部２１に記憶される。ステップＳ８において、ユーザが個人情報を入力するために、モニタ部２４に表示される個人情報入力画面の一例として、図４（Ｂ）に示される画面がある。図４（Ｂ）の外枠は、携帯電話機１におけるモニタ部２４の表示画面の外枠を示す。
【０１０２】
図４（Ｂ）に示されるように、個人情報の項目情報として、郵便番号、住所、お名前、性別、生年月日、職業等がある。郵便番号はｔａｇ１情報（タグ１情報）として、住所はｔａｇ２情報（タグ２情報）として、お名前はｔａｇ３情報（タグ３情報）として、性別はｔａｇ４情報（タグ４情報）として、生年月日はｔａｇ５情報（タグ５情報）として、職業はｔａｇ６情報（タグ６情報）として、ｈｔｍｌによって取り扱われる。なお、個人情報の項目情報はこれらの項目に限定されるわけではない。
【０１０３】
さらに、携帯電話機１は、これらの個人情報をタグ情報として、コンテンツ提供者のサーバ装置（４、６、又は７）へ送信すると共に、ユーザ識別情報(ＵＩＤ)をコンテンツ提供者のサーバ装置（４、６、又は７）へ送信する。
【０１０４】
ステップＳ９において、コンテンツ提供者のサーバ装置（４、６、又は７）は、ステップＳ８において入力され送信された個人情報をユーザ識別情報(ＵＩＤ)と関連づけて記憶部（図示せず）に一次保存する。
【０１０５】
ステップＳ１０において、コンテンツ提供者のサーバ装置（４、６、又は７）は、アンケートを行う場合の指定サイトのタグ情報（デジタルコンテンツに係る情報に含まれる情報である）を検索し、携帯電話機１へ送信する。
【０１０６】
タグ情報の一例を図５（Ｂ）に示す。図５（Ｂ）の上段は、サイト“Ｐｏｋｅｍｅｒｏ．ｐｏｋｅ．ｊｐ”のアンケート応募において必要とされる個人情報をユーザに入力してもらうためのタグ情報である。図５（Ｂ）の中段は、サイト“Ｄｏｋｏｋａｒａ．ｐｏｋｅ．ｊｐ”のアンケート応募において必要とされる個人情報をユーザに入力してもらうためのタグ情報である。図５（Ｃ）の中段は、サイト“Ｐｏｋｅｌｉｆｅ．ｐｏｋｅ．ｊｐ”のアンケート応募において必要とされる個人情報をユーザに入力してもらうためのタグ情報である。
【０１０７】
各サイトのｈｔｍｌタグ例はそれぞれ異なるが、共通点について、図５（Ｂ）の上段に示されている、サイト“Ｐｏｋｅｍｅｒｏ．ｐｏｋｅ．ｊｐ”に基づいて説明する。ｈｔｍｌタグ例の最初に記載されている“Ａ”タグは、起動対象のアプリケーションに対応するＯＢＪＥＣＴタグを参照するために使用される。ユーザがこのＡタグを携帯電話機１において指定することにより、携帯電話機１に記憶（インストール）されている個人情報入力用のアプリケーションプログラム３０が起動される。“Ａ”タグの“ｉｓｔａ”属性には、ＯＢＪＥＣＴタグのｉｄ属性に指定された名前が指定さる。すなわち、ユーザが“Ａ”タグを選択した場合に、携帯電話機１にインストールされているアプリケーションプログラム３０の中で起動されるべきアプリケーションプログラム３０を指定する名前が記載される。また“ｈｒｅｆ”タグには、サイト“Ｐｏｋｅｍｅｒｏ．ｐｏｋｅ．ｊｐ”に対応していない携帯電話機１がアクセスすべきＵＲＬが記載される。
【０１０８】
次に、“ＰＡＲＡＭ”タグについて説明する。“ＰＡＲＡＭ”タグに記載されている事項は、携帯電話機１において起動したアプリケーションプログラムが実行されるときにアプリケーションプログラムが取得するパラメータである。“ｎａｍｅ”欄に記載されている変数名“個人情報種別”について、“Ｐｏｋｅｍｅｒｏ．ｐｏｋｅ．ｊｐ”サイトをアクセスして携帯電話機１の個人情報取得用アプリケーションプログラム３１が起動した場合には値“１”を取得し、“Ｄｏｋｏｋａｒａ．ｐｏｋｅ．ｊｐ”サイトをアクセスして携帯電話機１の個人情報取得用アプリケーションプログラム３０が起動した場合には値“２”を取得し、“Ｐｏｋｅｌｉｆｅ．ｐｏｋｅ．ｊｐ”サイトをアクセスして携帯電話機１の個人情報取得用アプリケーションプログラム３０が起動した場合には値“３”を取得する。個人情報取得用アプリケーションプログラム３０は取得した“個人情報種別”の値の違いを判別して、携帯電話機１のユーザが入力すべき個人情報の項目情報を携帯電話機１のモニタ部２４に表示する。携帯電話機１のモニタ部２４に表示される個人情報の項目情報は、“個人情報種別”の値が異なる場合には、異なる個人情報の項目情報を表示することも、同じ個人情報の項目情報を表示することもできる。詳細はステップＳ１８乃至ステップＳ２２にて説明する。
【０１０９】
ステップＳ１１において、携帯電話機１は、ステップＳ１０において検索されたサイト情報に対応するｈｔｍｌタグ（一例としての図５（Ｂ）の上段、中段および下段の何れかのｈｔｍｌタグ）を受信し、モニタ部２４に“アプリ起動はこちら”（個人情報取得用アプリケーションソフトの起動の選択）というメッセージを表示する。
【０１１０】
ステップＳ１２において、ユーザが、操作部１０を介して、モニタ部２４に表示された“アプリ起動はこちら”という部分を押下する。
【０１１１】
ステップＳ１３において、携帯電話機１の制御部１２は、ステップＳ１１において受信したｈｔｍｌタグ情報に携帯電話機１の記憶部１２に記憶されたアプリケーションプログラム情報３０ａ乃至３０ｎの何れかに含まれる個人情報取得用アプリケーションプログラム３０を起動する指示コマンドがあるか否かを判定する（一例としての図５（Ｂ）の上段、中段および下段の何れかのｈｔｍｌタグ例の一行目）。指示コマンドが無い場合（ステップＳ１３：ＮＯ）にはステップＳ１２に進み、指示コマンドが有る場合（ステップＳ１３：ＹＥＳ）にはステップＳ１４に進む。
【０１１２】
ステップＳ１４において、制御部１２は、携帯電話機１の記憶部２１に記憶されていたアプリケーションプログラム情報３０ａ乃至３０ｎの何れかに含まれる個人情報取得用アプリケーションプログラム３０を起動する。
【０１１３】
ステップＳ１５において、起動された個人情報取得用アプリケーションプログラム３０は、ステップＳ１１において受信したタグ情報における“ＰＡＲＡＭＡ”情報の中にＵＲＬ情報（一例としての図５（Ｂ）の上段、中段および下段の何れかのｈｔｍｌタグ例の三行目）が含まれているか否かを判定する。“ＰＡＲＡＭＡ”情報の中にＵＲＬ情報が含まれていない場合（ステップＳ１５：ＮＯ）には、ステップＳ１７に進み、“ＰＡＲＡＭＡ”情報の中にＵＲＬ情報が含まれている場合（ステップＳ１５：ＹＥＳ）には、ステップＳ１６に進む。
【０１１４】
ステップＳ１６において、起動された個人情報取得用アプリケーションプログラム３０は、ステップＳ１５において取得したＵＲＬ情報を記憶部２１に記憶する。
【０１１５】
ステップＳ１７において、起動された個人情報取得用アプリケーションプログラム３０は、記憶部２１に記憶されている個人情報３１を読み出す。
【０１１６】
ステップＳ１８において、起動された個人情報取得用アプリケーションプログラム３０は、ステップＳ１１において受信したタグ情報における“ＰＡＲＡＭＡ”情報の中に、“個人情報種別”項目（一例としての図５（Ｂ）の上段、中段および下段の何れかのｈｔｍｌタグ例の二行目であり、図５（Ｂ）の場合には上段、中段および下段の何れのｈｔｍｌタグ例にも“個人情報種別”項目がある。）があるか否かを判断する。“個人情報種別”項目がない場合（ステップＳ１８：ＮＯ）には、ステップＳ２２に進み、“個人情報種別”項目がある場合（ステップＳ１８：ＹＥＳ）には、ステップＳ１９に進む。
【０１１７】
ステップＳ１９において、起動された個人情報取得用アプリケーションプログラム３０は、ステップＳ１１において受信したタグ情報における“ＰＡＲＡＭＡ”情報の中における“個人情報種別”項目において指定されている指定項目を参照する（一例としての図５（Ｂ）の上段の“個人情報種別”項目においては、値“１”、中段の“個人情報種別”項目においては、値“２”および下段の“個人情報種別”項目においては、値“２”である）。
【０１１８】
ステップＳ２０において、起動された個人情報取得用アプリケーションプログラム３０は、予め定められた対応関係に基づいて、ステップＳ１９において参照した“個人情報種別”項目における値に対応した個人情報の項目情報を記憶部２１の個人情報３１から読み出す。
【０１１９】
ステップＳ２１において、携帯電話機１のモニタ部２４には、ステップＳ２０において記憶部２１の個人情報３１から読み出されたユーザが入力すべき項目情報が表示される（一例として、図４（Ｃ）に示す、“郵便番号”、“性別”、“生年月日”がユーザによって入力されるべき項目情報としてモニタ部２４に表示される）。表示されるべき項目情報は、“個人情報種別”項目における“値”によって予め決定されている。また、表示されるべき（ユーザによって入力されるべき）項目情報と“値”との対応関係は記憶部２１に記憶されている（図示せず）。
【０１２０】
ステップＳ２２において、携帯電話機１のモニタ部２４に、“個人情報種別”項目指定が無い場合における“個人情報”入力画面が表示される（一例として、図４（Ｂ）に示す、“郵便番号”、“住所”、“お名前”、“性別”、“生年月日”、および“職業”がユーザによって入力されるべき個人情報の項目情報としてモニタ部２４に表示される）。
【０１２１】
ステップＳ２１およびステップＳ２２において携帯電話機１のモニタ部２４に表示されるべき個人情報の項目は、実施例に限定されるわけではなく任意の個人情報の項目を任意の組み合わせで表示されることができる。
【０１２２】
ステップＳ２３において、起動された個人情報取得用アプリケーションプログラム３０は、ステップＳ１６において記憶部２１に記憶されたＵＲＬ情報を読み出す。
【０１２３】
ステップＳ２４において、ステップＳ１９乃至ステップＳ２２において、ユーザが操作部１０を介して入力した個人情報を、ステップＳ２３において読み出したＵＲＬに送信するか否かをユーザに尋ねる画面がモニタ部２４に表示される。ユーザが操作部１０を介して入力した個人情報を、ステップＳ２３において読み出したＵＲＬに送信しない場合（ステップＳ２４：ＮＯ）にはステップＳ２５に進み、ユーザが操作部１０を介して入力した個人情報を、ステップＳ２３において読み出したＵＲＬに送信する場合（ステップＳ２４：ＹＥＳ）にはステップＳ２６に進む。
【０１２４】
ステップＳ２５において、携帯電話機１から個人情報を送信しない場合には、送信しない旨を表示する画像情報をメニュー情報３４ａ〜３４ｎの中における一つのメニュー情報としてモニタ部２４に表示することができる。また、個人情報を送信しない場合には、予め定められたＵＲＬへアクセスするように携帯電話機１のアプリケーションプログラムに書き込んでおいてもよい。この場合には、予め定められたＵＲＬで指定されるサーバ装置には、個人情報を送信したくない人向けのページ情報を用意しておき、そのページ情報をサーバ装置から携帯電話機１へ送信する。ページ情報の一例としては、プレゼントトップページがある。プレゼントトップページを見た携帯電話機１のユーザは、ユーザ自信がプレゼントに応募できなかったことを認識することができる。
【０１２５】
ステップＳ２６において、タグ情報で記述されている個人情報の項目情報（郵便番号はｔａｇ１情報（タグ１情報）として、住所はｔａｇ２情報（タグ２情報）として、お名前はｔａｇ３情報（タグ３情報）として、性別はｔａｇ４情報（タグ４情報）として、生年月日はｔａｇ５情報（タグ５情報）として、職業はｔａｇ６情報（タグ６情報）として、ｈｔｍｌによって取り扱われている。）のうち、ステップＳ２１又はステップＳ２２において表示され、かつユーザが入力した個人情報の中の項目情報をテキストファイルにする。
【０１２６】
ステップＳ２７において、携帯電話機１は、ステップＳ２６においてテキストファイルとされた個人情報の中の項目情報、およびＵＩＤ情報を、ステップＳ２３において読み出されたＵＲＬへ送信する。
【０１２７】
また、セキュリティ面における対策として、個人情報取得用アプリケーションプログラム３０は、予め定められたドメイン名（記憶部２１に記憶されている。）以外のドメイン（送信装置情報）へ個人情報を送信しようとした場合には、個人情報を送信しないでプログラムを終了するようにする。
【０１２８】
さらに、別のセキュリティ面における対策として、個人情報を送信する前に、ステップＳ２３において読み出された個人情報を送信するＵＲＬが正規（プレントの応募をしている正規のコンテンツ提供者から提供された）ものであるか否かを認証するために、ステップ２３において読み出されたＵＲＬは認証用のページアドレスとなっており、そのページと関係付けられているサーバ装置において、任意のパスワードや指定のパスワード（認証情報のことであり、ユーザが携帯電話機１の操作部１０を介して入力する、又は自動的に個人情報取得用アプリケーションプログラムがパスワード（認証情報）を入力する）の認証を行う（コンテンツ提供者のサーバ装置（４、６、又は７）が携帯電話機１から送信されたパスワードが正しいか否かを判断する）。コンテンツ提供者のサーバ装置（４、６、又は７）において、パスワード認証によって正しいパスワードが携帯電話機１から送信されたと判断した場合には、コンテンツ提供者のサーバ装置（４、６、又は７）はパスワードに対応した個人情報の送信先情報（ＵＲＬ等）を携帯電話機１に送信する。その後、携帯電話機１は、ステップＳ２６においてテキストファイルとされた個人情報の中の項目情報、およびＵＩＤ情報を、パスワード認証によって得られたＵＲＬへ送信する。
【０１２９】
ステップＳ２８において、ＵＲＬの送信先となったコンテンツ提供者のサーバ装置（４、６、又は７）は、ステップＳ２７において携帯電話機１から送信されたＵＩＤ情報と、ステップ８において携帯電話機１から送信され、ステップＳ９においてコンテンツ提供者のサーバ装置（４、６、又は７）に受信されたＵＩＤ情報とが一致するか否かを判断する。ＵＩＤ情報が一致しない場合（ステップＳ２７：ＮＯ）には、エラー処理を行ない、プログラムが終了する。ＵＩＤが一致する場合（ステップＳ２７：ＹＥＳ）には、ステップＳ２９に進む。
【０１３０】
ステップＳ２９において、コンテンツ提供者のサーバ装置（４、６、又は７）は、ステップＳ９においてＵＩＤと関連付けされて記憶されたアンケート情報（ユーザがステップＳ８において入力した個人情報）を読み出す。
【０１３１】
ステップＳ３０において、コンテンツ提供者のサーバ装置（４、６、又は７）は、ステップＳ２７において送信された個人情報の中の項目情報を、携帯電話機１から受信して読み出す。ステップＳ２７において読み出された個人情報の中の項目情報とステップＳ２９において読み出されたアンケート情報（個人情報の一部又は全部の項目情報に該当する。）は同一ＵＩＤに対応する情報であるので、同一ユーザの個人情報として、コンテンツ提供者のサーバ装置（４、６、又は７）は、以降のステップにおける処理を行う。
【０１３２】
また、ステップＳ２９において読み出されたアンケート情報（個人情報の一部又は全部の項目情報に該当する。）と、ステップＳ２７において読み出された個人情報の中の項目情報とは、全部又は一部が重複する場合がある。従って、ステップＳ２９におけるアンケート情報の項目情報がステップＳ２７において読み出された個人情報の中の項目情報よりも多い場合と、少ない場合とがある。
【０１３３】
ステップＳ３１において、コンテンツ提供者のサーバ装置（４、６、又は７）は、アンケートに対して個人情報を送信してきた携帯電話の応募者の中から、プレゼント等（現金を含む）の当選者を応募期間終了後に決定する。当選者に対しては、当選した事実を伝えるために、コンテンツ提供者のサーバ装置（４、６、又は７）に当選者情報をアップロードし、又は当選者の携帯電話機１に当選者情報を送信するなどする。
【０１３４】
当選者情報をアップロード又は送信等した後は、コンテンツ提供者には個人情報の漏洩を防ぐ管理が必要とされるので、コンテンツ提供者は個人情報を適切に管理する。
【０１３５】
ステップＳ３２において、コンテンツ提供者のサーバ装置（４、６、又は７）は、応募期間（プレゼント応募期間）の終了後に個人情報をコンテンツ提供者のサーバ装置（４、６、又は７）から削除する。しかし、個人情報はステップＳ８、ステップＳ２１またはステップＳ２２において携帯電話機１の記憶部２１に記憶されているので、ユーザが別のプレゼントに応募する場合には、再度同じ個人情報を入力する手間が省ける。また、コンテンツ提供者である企業側としても、ＵＩＤに対応してではなく、個人（ユーザ）が持つ携帯電話機のアプリケーションプログラムから個人情報を発信してもらえるので、ＵＩＤが引き継ぎされた場合などに想定される個人情報の漏洩を防ぐことができる。
【０１３６】
以上述べたように、本発明によれば、携帯電話機等の携帯型情報記録再生装置におけるアプリケーションプログラムの機能によって、通信回線を介して送信する個人情報を、ユーザが使用する携帯電話機等の携帯型情報記録再生装置に記憶しておくことが可能となった。その結果、ユーザは通信回線を介したプレゼント応募時に毎回個人情報を入力する手間がなくなった。また、携帯電話機等の携帯型情報記録再生装置が通信を行う通信回線接続先の第三者のサーバ装置等に、ユーザの個人情報を長期間保存する必要がなくなったので、ユーザにとって個人情報の安全性が高まった。また、サーバ装置等を管理する管理者にとっても、個人情報を長期間保持する必要がなくなったので、ＵＩＤの引継ぎによる個人情報漏洩の危険性が減少し、個人情報の管理が容易になった。
【０１３７】
なお、図３における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【０１３８】
また各電子情報機器間の情報の送受信は有線、無線に限定されず、いずれの方法においても情報の送受信を行うことができる。
【図面の簡単な説明】
【０１３９】
【図１】本実施形態におけるシステム構成の一例を示す図である。
【図２】本実施形態における携帯電話装置のブロック図の一例である。
【図３】本実施形態における動作を説明するフローチャートである。
【図４】本実施形態における携帯電話装置に表示される画面の一例である。
【図５】本実施形態における携帯電話装置が受信するタグ情報の一例である。
【符号の説明】
【０１４０】
１・・・  携帯電話装置
２・・・  パケット通信網
３・・・  サーバ装置
４・・・  専用線接続ポータルコンテンツプロバイダサーバ装置
５・・・  インターネット
６・・・  インターネット接続ポータルコンテンツプロバイダサーバ装置
７・・・  ボランタリコンテンツプロバイダサーバ装置
１２・・・  制御部
１３・・・  通信部
２１・・・  記憶部
３０・・・  アプリケーションプログラム情報
３１・・・  個人情報
【図１】
2008305320.tif 000003
【図２】
2008305320.tif 000004
【図３】
2008305320.tif 000005
【図４】
2008305320.tif 000006
【図５】
2008305320.tif 000007